(57)【特許請求の範囲】
【請求項１】
胴部５より肩部６を介して口頚部７を起立した容器体２と、水平方向揺動可能に且つ弾性復帰が可能に容器体口頚部外周に立設するとともに、上端部を口頚部上方へ所定幅をもって突出させ、且つ、傾倒時に錠剤の取り出しが不能に口頚部上端開口を閉塞する閉塞板部ａを内設してなる計量筒３と、計量筒３上端開口を錠剤の取り出しが不能に閉塞するとともに、計量筒を傾倒させた際にその上端開口からの錠剤の取り出しが可能になる如く架設したカバー栓４とを備えてなることを特徴とする錠剤容器。
【請求項２】
上記計量筒３が、容器体肩部６上面周縁部に立設した支持筒８上に嵌着固定した周縁部より、縦断面Ｕ字状に陥没させた環状の折り返し弾性部12を介して口頚部周囲に水平方向揺動可能に立設するとともに、フランジ17を介して縮径した上端部を口頚部上方へ所定幅をもって突出させ、且つ、傾倒時にフランジ下面で構成する閉塞板部ａにより、錠剤の取り出しが不能に口頚部上端開口を閉塞する計量筒であり、上記カバー栓４が、計量筒の嵌着部分上に下端部を嵌着固定して上方へ立設した左右一対の支持壁20上端縁間に頂板21を掛け渡し、頂板中央部により計量筒３上端開口を錠剤の取り出しが不能に閉塞し、且つ、計量筒を傾倒した際にその上端開口からの錠剤の取り出しが可能になる如く架設したカバー栓である請求項１記載の錠剤容器。
【発明の詳細な説明】
【０００１】
【発明の属する技術分野】
本発明は錠剤容器に関する。
【０００２】
【従来の技術】
錠剤容器として、口頚部を起立した容器体と、口頚部外周に螺着させた周壁上端縁より口頚部上端開口を閉塞する頂壁を延設してなる蓋体とからなるものが極一般的に知られている。
【０００３】
【発明が解決しようとする課題】
従来の容器では、蓋体を螺脱した後、容器体を傾けて収納錠剤を取り出す。従って、取り外した蓋体は手に持っているか或いは何処かに置いておかねばならず、前者の場合は錠剤の取り出しが行い難く、後者の場合には蓋体を落としたり、紛失したりする虞がある。
【０００４】
また、この種の容器に於いて一定量を取り出すためには、その都度手のひら等に取り出した錠剤を数えて過剰なものを容器に返す等しており、面倒が伴う。特にこの種の容器では、口頚部が錠剤に比較してかなり大きいのが一般的であり、多量に取り出してしまう傾向にある。
【０００５】
本発明は簡単な操作で略定量の錠剤を取り出すことができ、また、自動的に取り出し口の閉塞状態になり、片手での操作も容易で、取り扱いが極めて便利な錠剤容器を提案するものである。
【０００６】
また、構造が簡単で、部材数も少なく、組付け操作も容易に行えるという利点を兼ね備えた優れた容器を提案するものである。
【０００７】
【課題を解決するための手段】
本請求項１発明の容器は、上記課題を解決するため、胴部５より肩部６を介して口頚部７を起立した容器体２と、水平方向揺動可能に且つ弾性復帰が可能に容器体口頚部外周に立設するとともに、上端部を口頚部上方へ所定幅をもって突出させ、且つ、傾倒時に錠剤の取り出しが不能に口頚部上端開口を閉塞する閉塞板部ａを内設してなる計量筒３と、計量筒３上端開口を錠剤の取り出しが不能に閉塞するとともに、計量筒を傾倒させた際にその上端開口からの錠剤の取り出しが可能になる如く架設したカバー栓４とを備えてなることを特徴とする錠剤容器として構成した。
【０００８】
また、請求項２発明の容器は、上記計量筒３が、容器体肩部６上面周縁部に立設した支持筒８上に嵌着固定した周縁部より、縦断面Ｕ字状に陥没させた環状の折り返し弾性部12を介して口頚部周囲に水平方向揺動可能に立設するとともに、フランジ17を介して縮径した上端部を口頚部上方へ所定幅をもって突出させ、且つ、傾倒時にフランジ下面で構成する閉塞板部ａにより、錠剤の取り出しが不能に口頚部上端開口を閉塞する計量筒であり、上記カバー栓４が、計量筒の嵌着部分上に下端部を嵌着固定して上方へ立設した左右一対の支持壁20上端縁間に頂板21を掛け渡し、頂板中央部により計量筒３上端開口を錠剤の取り出しが不能に閉塞し、且つ、計量筒を傾倒した際にその上端開口からの錠剤の取り出しが可能になる如く架設したカバー栓である請求項１記載の錠剤容器として構成した。
【０００９】
【発明の実施の形態】
以下、本発明の実施例の形態を図面を参照して説明する。
【００１０】
本発明の錠剤容器１は、容器体２と、計量筒３と、カバー栓４とを備えている。
【００１１】
容器体２は、胴部５より肩部６を介して口頚部７を起立して構成している。
【００１２】
図示例の容器体２は、計量筒及びカバー栓を支持するための支持筒８を肩部６上面周縁部に立設しており、その外周にキャップ９を螺着させるための螺条を刻設し、また、上面内周縁より係合突条10を立設している。更に、胴部５内には錠剤11を収納している。
【００１３】
計量筒３は、上部を水平方向揺動可能に且つ弾性復帰が可能に容器体口頚部７外周に立設するとともに、上端部を口頚部７上方へ所定幅をもって突出させている。図示例では、支持筒８上部に周縁部を嵌着固定するとともに、縦断面Ｕ字状に陥没させた環状の折り返し弾性部12を介して口頚部７周囲に立設することにより、上部を水平方向揺動可能に且つ弾性復帰が可能に立設している。周縁部の嵌着手段としては、上記係合突条10外周に係合する係合突条13を環状水平基板14下面より垂設し、支持筒内周に嵌合する嵌合筒15を基板裏面より垂設して嵌着しており、水平基板14上面周縁部には係止筒16を立設している。
【００１４】
また、計量筒３の口頚部上方へ突出した部分の内部を計量室Ａとして構成し、容器１を倒立させた際に、計量室Ａ内に所定量の錠剤11が口頚部７を介して入る如く構成している。
【００１５】
また、計量筒３には、傾倒時に錠剤11の取り出しが不能に口頚部７上端開口を閉塞する閉塞板部ａを内設している。
【００１６】
図示例では、フランジ17を介して口頚部７と略同径に縮径した上端部を、口頚部上面と離間してその上方へ立設しており、このフランジ17下面が形成する閉塞板部ａにより、図３に示す如く、傾倒時に錠剤の取り出しが不能に口頚部７上端開口を閉塞する。
【００１７】
錠剤の取り出しが不能に口頚部上端開口を閉塞するとは、口頚部７上端開口全体を必ずしも閉塞する必要はなく、錠剤11の大きさを考慮して一部を閉塞したものであっても良い。
【００１８】
尚、縮径部分の後部には、計量筒３を傾倒させるための押圧部18を設けている。
【００１９】
カバー栓４は、計量筒３上端開口を錠剤11の取り出しが不能に閉塞するとともに、計量筒３上端を傾倒させた際に、上端開口からの錠剤11の取り出しが可能になる如く架設したもので、図１に示す実施例では、上記係止筒16上面から内面を介して水平基板14上面に至る部分に嵌合させた環状の装着枠19の上面左右より、それぞれ上方へ一対の支持壁20を立設し、各支持壁20上端間を板状の頂板21で連結し、頂板21中央部を計量筒上端開口上方に位置させて、錠剤の取り出しが不能に閉塞している。
【００２０】
カバー栓の形態は上記条件を満たすものであれば種々採用でき、例えば、図４に示す如く、計量筒３の嵌合部上に上記実施例と同様に嵌着させた装着枠上面より、円筒状で、後部に操作用の縦長窓孔ｂを、上面前部より前面上部に至る錠剤取り出し用の窓孔ｃをそれぞれ穿設した筒状のカバー栓として構成してもよい。
【００２１】
上記の如く構成した容器を使用する場合には、例えば、図１の状態からキャップ９を外し、容器を倒立させると、口頚部７を介して計量室Ａ内に所定量の錠剤11が入り、次いで押圧部18を指で前方へ押し込むと、計量筒３は前方へ傾き、閉塞板部ａが口頚部７上端開口を閉塞するとともに、計量筒３上端開口がカバー栓４の頂板21の閉塞から外れて計量室Ａ内の一定量の錠剤11が取り出せる。
【００２２】
次いで、押圧部18の押圧を解除すると、折り返し弾性部12の弾性復元力により計量筒３が元の状態に復帰する。
【００２３】
尚、上記各部材は全て合成樹脂で形成すると良い。
【００２４】
【発明の効果】
以上説明した如く、本発明容器は、既述構成としたことにより、容器を倒立させた後、計量筒を傾倒させるとうい極めて簡単な操作により、略所定量の錠剤を取り出すことができ、また、取り出し後は計量筒の押圧を解除すれば自動的に取り出し口が閉塞されるため、極めて使勝手が良い。
【００２５】
また、請求項２に記載された容器では、構造が簡単で、部材数が少なく、容器体に計量筒とカバー栓とを順次嵌着させれば良いため組付けも容易であるという利点を兼ね備えている。
【図面の簡単な説明】
【図１】本発明錠剤容器の一実施例を示す半断面図である。
【図２】同実施例の斜視図である。
【図３】同実施例の錠剤取り出し時の断面図である。
【図４】本発明の他の実施例を示す要部斜視図である。
【符号の説明】
２…容器体，３…計量筒，４…カバー栓，５…胴部，６…肩部，
８…支持筒，12…折り返し弾性部，17…フランジ，20…支持壁，21…頂板，
ａ…閉塞板部
【図１】
0003691223.tif 000002
【図２】
0003691223.tif 000003
【図３】
0003691223.tif 000004
【図４】
0003691223.tif 000005